(57)【特許請求の範囲】
【請求項１】
厚紙を打ち抜いたブランクを組み立てて形成され、前面パネルと背面パネルとそれらの両側にそれぞれ位置する側面パネルとにより胴部が形成され、各側面パネルの下辺に連設した下側折込みフラップをそれぞれ折り込んでから、前面パネルと背面パネルの下辺にそれぞれ連設した底面パネルを順次折り曲げて貼り合わせることで底部が形成され、内容物を投入した後で、各側面パネルの上辺に連設した上側折込みフラップをそれぞれ折り込んでから、背面パネルの上辺に連設した上面パネルとその先端辺に連設した先端折曲げフラップとにより蓋がされてなる直方体形状の紙カートンであって、何れか一方の底面パネルはその幅が底部の幅の１／２より狭く、もう一方の底面パネルは底部の幅の１／２のところに折線が設けられており、各側面パネルにはその上側折込みフラップ及び下側折込みフラップとに渡って中央を縦断する状態で縦方向の折線が設けられており、内側から底部を下方に押すことにより底部が外方に突き出るようにして折線のところで二つ折り状態となり、それに連れて各側面パネルも外方に突き出るようにして折線のところで二つ折り状態となるように構成されていることを特徴とする紙カートン。
【請求項２】
上側折込みフラップと下側折込みフラップにはその端縁と縦方向の折線が交わるところにそれぞれ切欠が設けられていることを特徴とする請求項１に記載の紙カートン。
【請求項３】
胴部にそれを周回する状態で一対の平行なミシン目からなる開封用のジッパー部が形成されていることを特徴とする請求項１又は２に記載の紙カートン。
【請求項４】
先端折曲げフラップにそれを横断する状態で一対の平行なミシン目からなる開封用のジッパー部が形成されており、先端折曲げフラップがそのジッパー部より先端寄りのところで前面パネルの上部に貼り合わせることで蓋がされていることを特徴とする請求項１〜３のいずれかに記載の紙カートン。
【発明の詳細な説明】
【技術分野】
【０００１】
本発明は、厚紙からなる紙カートンの技術分野に属し、特に、各種医薬品や各種ドリンク剤などを箱詰めして供給するために用いられている直方体形状の紙カートンに関するものである。
【背景技術】
【０００２】
従来より、この種の紙カートンとして、コートボール紙や段ボールなどの厚紙を用いた直方体形状の紙カートンが広く利用されている。このような紙カートンは、開封してもしっかりとしているので、内容物を小出して使用するには好都合であるが、使用後に廃棄処理する際に、糊代部分を剥がして折り畳もうとすると簡単には分解できない。そこで、糊代片を引き剥がすような煩雑な作業を不要として簡単に押しつぶすことができるようにしたものが提案されている。
【特許文献１】特開２００１−３１０６９号公報
【０００３】
この特許文献１に記載の紙カートンは、周壁にわたって形成された一対の切り裂き用ミシン目に沿って切り裂くことにより、上方半部と下方半部に二分割することができるタイプのカートンにおいて、上方半部の側板或いは下方半部の側板を内方に押し倒すことにより、正面板と背面板をそれらの四隅から４５度の角度で延びる折り目に沿って簡単に折り曲げることができるようにしたものである。
【発明の開示】
【発明が解決しようとする課題】
【０００４】
上記した特許文献１に記載の紙カートンは、確かに糊代片を引き剥がすような煩雑な作業が不要となり、簡単に押しつぶすことができるものではあるが、あくまでも上下に二分割して開封するタイプの紙カートンを対象としたものであって、例えば、上面パネルを開封するようにしたタイプの紙カートンには適用できない。また、使用形態に応じて上下に二分割したり上面パネルを開けたりできるようにしたタイプの紙カートンに適用するには中途半端である。すなわち、上面パネルを開けて使用した場合には、使用後の紙カートンを上下に二分割してから押し潰す必要がある。
【０００５】
本発明は、このような問題点に鑑みてなされたものであり、その目的とするところは、上面パネルを開けて使用できるタイプでありながら、使用後に簡単に解体して平坦な形状にすることができる紙カートンを提供することにある。
【課題を解決するための手段】
【０００６】
請求項１に記載の発明である紙カートンは、厚紙を打ち抜いたブランクを組み立てて形成され、前面パネルと背面パネルとそれらの両側にそれぞれ位置する側面パネルとにより胴部が形成され、各側面パネルの下辺に連設した下側折込みフラップをそれぞれ折り込んでから、前面パネルと背面パネルの下辺にそれぞれ連設した底面パネルを順次折り曲げて貼り合わせることで底部が形成され、内容物を投入した後で、各側面パネルの上辺に連設した上側折込みフラップをそれぞれ折り込んでから、背面パネルの上辺に連設した上面パネルとその先端辺に連設した先端折曲げフラップとにより蓋がされてなる直方体形状の紙カートンであって、何れか一方の底面パネルはその幅が底部の幅の１／２より狭く、もう一方の底面パネルは底部の幅の１／２のところに折線が設けられており、各側面パネルにはその上側折込みフラップ及び下側折込みフラップとに渡って中央を縦断する状態で縦方向の折線が設けられており、内側から底部を下方に押すことにより底部が外方に突き出るようにして折線のところで二つ折り状態となり、それに連れて各側面パネルも外方に突き出るようにして折線のところで二つ折り状態となるように構成されていることを特徴としている。
【０００７】
請求項２に記載の発明である紙カートンは、請求項１に記載の紙カートンにおいて、上側折込みフラップと下側折込みフラップにはその端縁と縦方向の折線が交わるところにそれぞれ切欠が設けられていることを特徴としている。
【０００８】
請求項３に記載の発明である紙カートンは、請求項１又は２に記載の紙カートンにおいて、胴部にそれを周回する状態で一対の平行なミシン目からなる開封用のジッパー部が形成されていることを特徴としている。
【０００９】
請求項４に記載の発明である紙カートンは、請求項１〜３のいずれかに記載の紙カートンにおいて、先端折曲げフラップにそれを横断する状態で一対の平行なミシン目からなる開封用のジッパー部が形成されており、先端折曲げフラップがそのジッパー部より先端寄りのところで前面パネルの上部に貼り合わせることで蓋がされていることを特徴としている。
【発明の効果】
【００１０】
請求項１に記載の発明である紙カートンは、上面パネルを蓋として使用した後に、内側から底部を下方に押すことにより、底部が外方に突き出るようにして折線のところで二つ折り状態になり、それに連れて各側面パネルもその上側折込みフラップ及び下側折込みフラップとともに外方に突き出るようにして折線のところで二つ折り状態になるので、簡単に解体して平坦な形状にすることができる。
【００１１】
請求項２に記載の発明である紙カートンは、上記の効果に加え、折線の端のところに切欠があることにより、上側折込みフラップ及び下側折込みフラップが側面パネルとともに折れ曲がる際に折れ曲がりやすいという効果を奏する。
【００１２】
請求項３に記載の発明である紙カートンは、上面パネルを蓋として残した状態で使用することも、上半分を切り離して使用することもでき、いずれの形態で使用した場合でも、使用後は底部を下方に押すことで簡単に平坦な形状にすることができる。
【００１３】
請求項４に記載の発明である紙カートンは、先端折曲げフラップを前面パネルの上部に貼り合わせたことにより、バージン性を有するものとなり、しかも、胴部を周回するジッパー部に加えて先端折曲げフラップを横断するジッパー部を設けたことにより、蓋を残す場合と上半分を切り離す場合の選択が一目瞭然となる。
【発明を実施するための最良の形態】
【００１４】
次に、本発明の実施の形態について図面を参照しながら詳細に説明する。
【００１５】
図１は本発明に係る紙カートンの一例を示す斜視図、図２は図１の紙カートンを形成するブランクの平面図である。
【００１６】
図１の紙カートンＡは例えば医薬品を収納して病院に供給するためのもので、外観は直方体形状であり、図２に示すブランクＢを組み立てて作製される。
【００１７】
ブランクＢは、紙カートン用の板紙を打ち抜いて形成したもので、図示のように、折線ａ，ｂ，ｃ，ｄを介して糊代フラップ１１，背面パネル１２、側面パネル１３、前面パネル１４、側面パネル１５が順次連設されている。背面パネル１２の下辺には折線ｅを介して底面パネル１６が連設され、上辺には折線ｆを介して上面パネル１７が連設され、さらにその上面パネル１７の先端辺には折線ｇを介して先端折曲げフラップ１８が連設されており、側面パネル１３の下辺には折線ｈを介して下側折込みフラップ１９が連設され、上辺には折線ｉを介して上側折込みフラップ２０が連設されており、前面パネル１４の下辺には折線ｊを介して底面パネル２１が連設されており、側面パネル１５の下辺には折線ｋを介して下側折込みフラップ２２が連設され、上辺には折線ｌを介して上側折込みフラップ２３が連設されている。
【００１８】
ここで、背面パネル１２に連設する底面パネル１６はその幅が底部の幅の１／２よりやや狭くなっており、前面パネル１４に連設する底面パネル２１は底部の幅と略同じでその幅の１／２のところに該底面パネル２１を横断する折線ｍが設けられている。さらに、側面パネル１３にはその上側折込みフラップ２０及び下側折込みフラップ１９とに渡って中央を縦断する状態で縦方向の折線ｎが設けられており、側面パネル１５にはその上側折込みフラップ２３及び下側折込みフラップ２２とに渡って中央を縦断する状態で縦方向の折線ｏが設けられている。また、上側折込みフラップ２０と下側折込みフラップ１９にはその端縁と縦方向の折線ｎが交わるところにそれぞれ切欠αが設けられ、上側折込みフラップ２３と下側折込みフラップ２２にはその端縁と縦方向の折線ｏが交わるところにそれぞれ切欠αが設けられている。この切欠αは図のような三角形状でもよいし、半円形状でもよい。
【００１９】
そして、横に連接した糊代フラップ１１，背面パネル１２、側面パネル１３、前面パネル１４及び側面パネル１５には、それらの中程を横断する位置に一対の平行なミシン目からなる帯状のジッパー部２４が形成されている。また、先端折曲げフラップ１８には、それの中程を横断する位置に一対の平行なミシン目からなる帯状のジッパー部２５が形成されている。これらのジッパー部２４，２５を区画するミシン目は、図示のように連続する「く」の字状の切込みにより形成されている。
【００２０】
また、側面パネル１３，１５の下辺に連設する下側折込みフラップ１９，２２は、高さが底部の幅の１／２より低い台形状になっており、図示のように、それぞれ先が細くなる形状で２本の斜めの折線ｐ，ｑが形成されている。
【００２１】
このブランクＢは、糊代フラップ１１の表側を側面パネル１５の端部裏側に貼り合わせたサック貼り状態で折り畳まれる。そして、この折り畳んだブランクＢを紙カートンＡに組み立てるには、まず、折り畳んだブランクＢを角筒状に起こした後、各側面パネル１３，１５の下辺に連設した下側折込みフラップ１９，２２を折り込んでから、底面パネル１６，２１をこの順で折り曲げて貼り合わせることで底部を形成する。この時、底面パネル１６の背面パネル１２側を１０ｍｍ程度残した状態で残り全体を貼着部１６ａとしてそこに糊を塗布して貼り合わせる。これにより、底面パネル２１はその折線ｍより外側で底面パネル１６と貼り合わせられる。
【００２２】
このように底部を形成した後、上方から内容物を投入する。次いで、各側面パネル１３，１５の上辺に連設した上側折込みフラップ２０，２３をそれぞれ折り込んでから、背面パネル１２の上辺に連設した上面パネル１７とその先端辺に連設した先端折曲げフラップ１８とにより蓋をする。この時、前面パネル１４のジッパー部２４より少し上方の帯状部分を貼着部１４ａとし、そこに糊を塗布して、先端折曲げフラップ１８のジッパー部２５より先端寄りの裏側をこの貼着部１４ａに貼り合わせる。このようにして図１に示す内容物が入った紙カートンＡが作製される。
【００２３】
この紙カートンＡは、上段のジッパー部２５を取り除き、図３に示すように上面パネル１７を蓋として残した状態で使用することができる。この時、先端折曲げフラップ１８の先端部分１８ａは前面パネル１４の貼着部１４ａに付いたままの状態になり、根元部分１８ｂは蓋を開閉する時の差込みフラップの役目を果たす。また、下段のジッパー部２４を取り除き、図４に示すように上半分を切り離すことで単なる箱として使用することもできる。そして、いずれの形態で使用した場合でも、使用後は底部を下方に押すことで簡単に平坦な形状にすることができる。
【００２４】
すなわち、図３に示す形態のものは、内側から底部を下方に押すことにより、底部が外方に突き出るようにして折線ｍのところで二つ折り状態になり、それに連れて側面パネル１３はその上側折込みフラップ２０及び下側折込みフラップ１９とともに外方に突き出るようにして折線ｎのところで二つ折り状態になり、また側面パネル１５もその上側折込みフラップ２３及び下側折込みフラップ２２とともに外方に突き出るようにして折線ｏのところで二つ折り状態になる。これによって図５に示すように全体を平坦な形状にすることができる。この解体時において、折線ｎ，ｏの端のところにそれぞれ切欠αがあることにより、上側折込みフラップ２０，２３及び下側折込みフラップ１９，２２が側面パネル１３，１５とともに折れ曲がる際に折れ曲がりやすい。
【００２５】
また、図４に示す形態のものは、内側から底部を下方に押すことにより、底部が外方に突き出るようにして折線ｍのところで二つ折り状態になり、それに連れて側面パネル１３はその下側折込みフラップ１９とともに外方に突き出るようにして折線ｎのところで二つ折り状態になり、また側面パネル１５もその下側折込みフラップ２２とともに外方に突き出るようにして折線ｏのところで二つ折り状態になる。これによって図６に示すように全体を平坦な形状にすることができる。この解体時において、折線ｎ，ｏの端のところにそれぞれ切欠αがあることにより、下側折込みフラップ１９，２２が側面パネル１３，１５とともに折れ曲がる際に折れ曲がりやすい。
【００２６】
また、いずれの場合も、下側折込みフラップ１９，２２にはそれぞれ先が細くなる形状で２本の斜めの折線ｐ，ｑを形成してあるので、底部を押した時に下側折込みフラップ１９，２２は底部の内側から外側に逃げやすくなっている。なお、このような折線ｐ，ｑを設ける代わりに、下側折込みフラップ１９，２２の端縁を丸い形状としてもよい。要は箱の形状を保持しながら、解体時には外側に逃げやすくすればよい。
【００２７】
以上、本発明の実施の形態について詳細に説明してきたが、本発明による紙カートンは、上記実施の形態に何ら限定されるものではなく、本発明の趣旨を逸脱しない範囲において種々の変更が可能であることは当然のことである。
【００２８】
例えば、上記の例では、上面パネル１７に連設する先端折曲げフラップ１８に開封用のジッパー２５を設けたが、この先端折曲げフラップ１８を単なる差込みフラップとしても構わない。その場合、差込みフラップを前面パネル１４の裏側に差し込んで蓋をするが、バージン性を確保するためには、シュリンク包装するなどの手段を講じる必要がある。
【００２９】
また、紙カートンを構成する厚紙は、紙カートン用の板紙に限るものではなく、段ボールでもよいものであり、各種の厚紙の中から用途に応じて適宜選択すればよい。
【図面の簡単な説明】
【００３０】
【図１】本発明に係る紙カートンの一例を示す斜視図である。
【図２】図１の紙カートンを形成するブランクの平面図である。
【図３】紙カートンの上面パネルを蓋として残した状態を示す斜視図である。
【図４】紙カートンの上半分を切り離した状態を示す斜視図である。
【図５】図３の紙カートンを解体した状態で示す平面図である。
【図６】図４の紙カートンの下半分を解体した状態で示す平面図である。
【符号の説明】
【００３１】
Ａ  紙カートン
Ｂ  ブランク
ａ〜ｑ  折線
α  切欠
１１  糊代フラップ
１２  背面パネル
１３  側面パネル
１４  前面パネル
１４ａ  貼着部
１５  側面パネル
１６  底面パネル
１７  上面パネル
１８  先端折曲げフラップ
１８ａ  先端部分
１８ｂ  根元部分
１９  下側折込みフラップ
２０  上側折込みフラップ
２１  底面パネル
２２  下側折込みフラップ
２３  上側折込みフラップ
２４，２５  ジッパー部
【図１】
0004697876.tif 000002
【図２】
0004697876.tif 000003
【図３】
0004697876.tif 000004
【図４】
0004697876.tif 000005
【図５】
0004697876.tif 000006
【図６】
0004697876.tif 000007